(57)【特許請求の範囲】
【請求項１】
予め定めた印刷物の頁順序に従って巻取紙に印刷し、所定の加工のために巻取紙を枚葉紙に横方向断裁または横方向と縦方向に断裁する、本、仮とじ本等の印刷物を製作するための方法において、
巻取紙から断裁した枚葉紙が、前記所定の加工を行う箇所まで続く搬送路上で、その姿勢を巻取紙の供給方向に対して一平面内で９０°回転させてかつ１列または複数列をなして並べて前記搬送路における搬送区間を経て所定の加工部に供給され、その際、枚葉紙の回転が、同時に搬送方向を変えながら向きを変えることによって行われることを特徴とする方法。
【請求項２】
前記搬送区間が、巻取紙の供給方向に対して９０°の角度をなしていることを特徴とする請求項１記載の方法。
【請求項３】
巻取紙または枚葉紙の縦方向断裁が、横方向断裁の前、横方向断裁中または横方向断裁後に行われることを特徴とする請求項２記載の方法。
【請求項４】
枚葉紙が複数部分に縦方向断裁されることを特徴とする請求項１〜３のいずれか一つに記載の方法。
【請求項５】
縦方向に断裁された枚葉紙が１列に並べて相互間隔を詰めて案内されることを特徴とする請求項３または４記載の方法。
【請求項６】
前記搬送区間が平行な折り目を形成する折り機として形成された前記所定の加工部に達していることを特徴とする請求項１〜５のいずれか一つに記載の方法。
【請求項７】
前記搬送区間から出る枚葉紙の側方部をそろえることを特徴とする請求項１〜６のいずれか一つに記載の方法。
【請求項８】
折込みと紙表紙の少なくとも一方の供給が、前記搬送区間上の枚葉紙に対して行われることを特徴とする請求項２〜７のいずれか一つに記載の方法。
【請求項９】
折込みと紙表紙の少なくとも一方の供給が、連続的に案内される枚葉紙の側方部をそろえるとき、又はそろえた後に行われることを特徴とする請求項８記載の方法。
【請求項１０】
折込みと紙表紙の少なくとも一方の供給が、９０°だけ枚葉紙の走行方向を変えて行われることを特徴とする請求項２〜９のいずれか一つに記載の方法。
【請求項１１】
折込みと紙表紙の少なくとも一方を供給するために、並べて案内される枚葉紙の間に隙間が形成されることを特徴とする請求項８〜１０のいずれか一つに記載の方法。
【請求項１２】
巻取紙の供給方向から前記搬送区間への方向転換が、枚葉紙の搬送方向を変えることによって行われることを特徴とする請求項１〜１１のいずれか一つに記載の方法。
【請求項１３】
巻取紙（１）を供給可能な印刷装置に接続された、横方向断裁または横方向断裁と縦方向断裁のために選択的に形成された断裁装置（７）を備え、この断裁装置が後続の所定の加工装置（Ａ，Ａ′）に間接的に接続されている、請求項１〜１２のいずれか一つに記載の方法を実施するための装置において、
断裁装置（７）と所定の加工装置（Ａ，Ａ′）との間に設けられた搬送路（３，３′）が、下流側の端部に搬送区間（４，４′）を備え、この搬送区間に、前記搬送路（３，３′）の上流側にある分岐器（９）によって形成された２つの搬送区間（５，６）が通じており、この搬送区間（５，６）の一方が、枚葉紙（２，２′；２ａ，２ｂ；２ａ′，２ｂ′）が巻取紙（１）の供給方向に対して９０°回転されかつ１列又は複数列をなすように形成されていることを特徴とする装置。
【請求項１４】
搬送区間（５，６）が上下に設けられていることを特徴とする請求項１３記載の装置。
【請求項１５】
分岐器（９）の手前に、枚葉紙（２，２′；２ａ，２ｂ；２ａ′，２ｂ′）の側方部をそろえるために接続可能な調整装置（１０）が配置されていることを特徴とする請求項１３または１４記載の装置。
【請求項１６】
搬送区間（４，４′）が、枚葉紙（２，２′；２ａ，２ｂ；２ａ′，２ｂ′）の側方部を後にそろえるために、側方に案内ストッパーを備えた傾斜ローラテーブルとして形成されていることを特徴とする請求項１３〜１５のいずれか一つに記載の装置。
【請求項１７】
下流側に設けられた搬送区間（５，６）の合流個所に、折込みまたは紙表紙（１２）のための紙差し器（１１）が設けられていることを特徴とする請求項１３〜１６のいずれか一つに記載の装置。
【発明の詳細な説明】
【０００１】
【発明の属する技術分野】
本発明は、予め定めた印刷物の頁順序に従って巻取紙または合成樹脂製の巻取体に印刷し、他の加工のために巻取紙を枚葉紙に横方向断裁または横方向と縦方向に断裁する、本、仮とじ本等の印刷物を製作するための方法に関する。その際、この本や仮とじ本の製作の分野は少量生産分野である。
【０００２】
【従来の技術】
約５００部よりも多い発行部数の場合に不経済である、枚葉紙を加工するためのデジタル式印刷システムと、約２５００部以上の発行部数の場合に使用されるオフセット印刷方法との間には、デジタル式印刷システムによる、巻取紙からの経済的な製作の余地が残っている。
【０００３】
冒頭に述べた種類の方法に適している、ドリュパ９５(DRUPA′95)に展示された、ニプソン  プリンティング  システム  ゲーエムベーハー（NPSON Printing Systems GmbH)の公知のデジタル式印刷システムは、最大速度６０ｍ／分で巻取紙を印刷するので、１時間あたり１００部の本を製本する出力を生じる。この印刷システムの後には、断裁装置と製本ユニットがこの順序で配置されている。所定の加工として、折り、丁合、綴じ等が知られている。
【０００４】
デジタル式印刷システムは、予め定めた頁順序で紙を印刷または加工する印刷システムに属する。
紙ロールからの巻取紙の公知の加工は、中断されない加工方法であるが、紙の寸法を変えることができない製作である。すなわち、最終製品の所定の大きさはその都度、使用される巻取紙の幅に左右されるかあるいは巻取紙の幅は印刷物の寸法に一致しなければならない。
【０００５】
オフセット加工では、多彩な大きさのために、折り機が使用される。この折り機は最終製品まで連続的に加工することを不可能にする。これについて先ず第１に、加工の際に異なるように折られる印刷製品のために異なる出口を必要とする折り機が該当する。
合理的な加工のためには、複数の出口を有する折り機は適していない。なぜなら、加工されたすべての製品を共通の１個の載せ台に案内し、そこで再加工できるようにするために、高い付加的なコストを必要とするからである。
【０００６】
これは特に、頁順序を予め定めて印刷した巻取紙のためのオンライン加工に該当する。
【０００７】
【発明が解決しようとする課題】
そこで、本発明の課題は、上述の欠点を除去し、印刷物の変化する大きさに巻取紙をオンライン加工することを可能にする、冒頭に述べた種類の方法と、この方法を実施するための装置を提供することである。
【０００８】
【課題を解決するための手段】
この課題は本発明に従い、巻取紙から断裁した枚葉紙が搬送路上で、その姿勢を巻取紙の供給方向に対して一平面内で９０°回転させてかつ１列または複数列をなして並べて搬送路における搬送区間を経て所定の加工部に供給され、その際、枚葉紙の回転が、同時に搬送方向を変えながら向きを変えることによって行われることによって解決される。
【０００９】
【発明の実施の形態】
続いて、図を参照して複数の実施の形態に基づいて本発明を説明する。明細書で述べていないすべての詳細については図を参照されたし。
図１〜４は、図示していない印刷機械から本発明による装置に供給された、紙または合成樹脂からなる一定幅の巻取紙（ウェブ）１の加工を示している。巻取紙１の供給方向は矢印Ｚによって示してあり、巻取紙１上の破線は、枚葉紙（シート）に断裁するための、巻取紙１に対して横方向または横方向と縦方向に設けた切れ目を示している。
【００１０】
図１において、巻取紙１は先ず第１に、横方向断裁によって枚葉紙２に切り分けられる。この枚葉紙２は所定の加工部Ａの方向の第１の搬送路上でその姿勢を維持し、第１の搬送路３における第２の搬送区間４上で一列に並べて案内される。その代わりに、搬送方向を９０°方向を変えることによって、供給方向から曲がった第３の搬送区間４′上に枚葉紙２を移動させることができる。すなわち、第２の搬送路３′は前記供給方向Ｚに対して９０°の角度を有する。
【００１１】
図２は、図１と異なり横方向に断裁された枚葉紙２がその姿勢を９０°回転させられ、続いて一列に並べて搬送し続けられる加工方法を示している。
図３は、枚葉紙２を形成するために横方向と縦方向に断裁される巻取紙１を示している。これにより、巻取紙１は図示していない断裁装置を通過し、この断裁装置において枚葉紙２ａ，２ｂが二列に切り分けられる。枚葉紙２ａ，２ｂは第１の搬送路３上でその姿勢を維持し、列をなして並べて所定の加工部Ａに供給される。その際、枚葉紙２ａは第１の搬送区間５上で横方向に移動し、第２の搬送区間４を経て所定の加工部Ａに供給される。
【００１２】
その代わりに、図３に従って、両枚葉紙２ａ′，２ｂ′を９０°だけ搬送方向を変えて案内してもよい。それによって、枚葉紙は図示のように縦フォーマット方向に並んで続き、その際巻取紙１の供給方向から９０°変更した第３の搬送区間４′に沿って移動する。
図４に示す方法では、図３と異なり、枚葉紙２ａ，２ｂがその姿勢を付加的に回転させられ、続いて列をなして並んで所定の加工部Ａに供給される。
【００１３】
図５は印刷された巻取紙１を断裁装置７に供給する装置を部分的に示している。図示した断裁装置７は、巻取紙１の供給方向に対して横方向に配置された可動のカッター８による巻取紙の断裁を示している。枚葉紙２は断裁装置７に続いて、分岐器９を通過する。この分岐器によって、枚葉紙は第１の搬送区間５または６に選択して案内される。第１の搬送区間５は枚葉紙２′の姿勢の維持と、曲がった第２の搬送路３′への搬送方向の変更を行う。
【００１４】
所定の加工装置Ａ′として、折り機が示してある。分岐器９の手前で、第１及び第２の搬送路３，３′上に、作動させることができる調整装置（方向づけ装置）１０が設けられている。この調整装置は調節可能に形成され、時と場合により作用を開始または停止可能である。調整装置は知られており、従ってここでは説明しない。同様に、枚葉紙２，２′；２ａ，２ｂ；２ａ′，２ｂ′を後で方向づけするために、第２及び第３の搬送区間４，４′を傾斜ローラテーブルとして形成可能である。折込みまたは紙表紙１２を供給できるようにするために、第１の搬送区間５，６の合流個所に、紙差し器１１が付設されている。この紙差し器は折込み１２を枚葉紙流れに供給する。
【００１５】
図６にはデジタル式印刷システムを備えていない装置が示してある。図５と異なり、巻取紙１は断裁装置７によって横方向と縦方向に断裁されるので、巻取紙１の幅方向で分割された複数の（ここでは２個の）枚葉紙２ａ′，２ｂ′が生じる。縦方向断裁のために、固定されたまたは駆動されるカッター１３が設けられている。更に、分岐器９の位置が図５と異なっている。従って、枚葉紙２ａ′，２ｂ′は上側に位置する第１の搬送区間６上に横方向に並んで達する。第１の搬送区間６上で、枚葉紙２ａ′，２ｂ′は、同時に搬送方向を変えながら向きを変えることによって対をなして回転させられ、列をなして並んで続くように前進する。
【図面の簡単な説明】
【図１】  横方向に断裁された巻取紙を枚葉紙に加工する際の本発明による方法を概略的に示す図である。
【図２】  横方向に断裁された巻取紙を枚葉紙に加工する際の本発明による他の方法を概略的に示す図である。
【図３】  横方向と縦方向に断裁された巻取紙を加工する際の本発明による方法を概略的に示す図である。
【図４】  横方向と縦方向に断裁された巻取紙を加工する際の本発明による他の方法を概略的に示す図である。
【図５】  図１の本発明による方法を実施するための装置を示す図である。
【図６】  方法の図４の装置を示す図である。
【符号の説明】
１                      巻取紙
２，２′，２ａ，２ｂ，２ａ′，２ｂ′          枚葉紙
３，３′                搬送路
４，４′                搬送区間
５，６                  搬送区間
７                      断裁装置
９                      分岐器
１０                    調整装置
１１                    紙差し器
１２                    紙表紙
Ａ，Ａ′                所定の加工装置
【図１】
0004691226.tif 000002
【図２】
0004691226.tif 000003
【図３】
0004691226.tif 000004
【図４】
0004691226.tif 000005
【図５】
0004691226.tif 000006
【図６】
0004691226.tif 000007